(57)【要約】  【課題】  液晶表示装置のバックライト装置に組み込まれる複数の光学シートの順列の正誤を容易に確認できるようにする。  【解決手段】  光源の前方に矩形状をした複数の光学シートを重ねて配置したバックライト装置において、前記光学シートの外周部に上位の光学シートの端縁を下位の光学シートの端縁よりも適間隔後退させて構成されるシート配列識別手段を備える。なお、前記シート配列識別手段は前記光学シートの外周部の少なくとも１辺部または１角部に配置されることが好ましい。また、前記２個のシート配列識別手段は互いに異なるサイズまたは／および形状により形成されることが好ましい。また、上述したバックライト装置と液晶パネルを備えることで液晶表示装置が構成され、前記シート配列識別手段は前記液晶パネルの画像表示領域の外側に配置される。【選択図】  図３
2006071685.tif 000002
【特許請求の範囲】
【請求項１】
複数の光学シートの重ね順、及び又は表裏を識別するシート配列識別手段を有する液晶表示装置において、前記シート配列識別手段は前記光学シートの点対称、または線対称に位置する辺縁部に複数箇所設けられることを特徴とするバックライト装置。
【請求項２】
請求項１に記載のバックライト装置において、前記光学シートの点対称、または線対称の位置の辺縁部に設けられる前記シート配列識別手段の対は、異なる形状又はサイズで構成されることを特徴とするバックライト装置。
【請求項３】
請求項１、又は２に記載のバックライト装置において、複数の光学シートを重ね合わせた場合に、前記シート配列識別手段は各シートごとに異なる形状又はサイズで構成されることを特徴とするバックライト装置。
【請求項４】
請求項３に記載のバックライト装置において、複数の光学シートを重ね合わせた場合に、前記シート配列識別手段は上位に位置するシートから下位に位置するシートにかけて、相似する切り欠け形状が漸次縮小されることを特徴とするバックライト装置。
【請求項５】
請求項３に記載のバックライト装置において、複数の光学シートを重ね合わせた場合に、前記シート配列識別手段は上位に位置するシートから下位に位置するシートにかけて、最下位のシートを除き、相似する切り欠け形状が漸次縮小されることを特徴とするバックライト装置。
【請求項６】
請求項１乃至５のいずれかに記載のバックライト装置と、液晶パネルを有する液晶表示装置において、前記液晶パネルの画像表示領域の周辺部は液晶パネル保持具で覆われて保持されており、前記シート配列識別手段は液晶パネルの画像表示部の投影領域外に位置するように配置されたことを特徴とする液晶表示装置。
【請求項７】
請求項６に記載の液晶表示装置において、前記液晶パネル保持具に前記シート配列識別手段を確認するための確認手段が設けられたことを特徴とする液晶表示装置。
【請求項８】
請求項７に記載の液晶表示装置において、前記確認手段は、前記液晶パネル保持具の少なくとも一部に透明素材を用いたことを特徴とする液晶表示装置。
【請求項９】
請求項７に記載の液晶表示装置において、
前記確認手段は、前記液晶パネル保持具に設けられた穴又は切欠きであることを特徴とする液晶表示装置。
【発明の詳細な説明】
【技術分野】
【０００１】
本発明は、バックライト装置および液晶表示装置に関し、詳しくはバックライト装置部分に配置される複数の光学シートの重ね順及び又は表裏の正誤をどの位置からでも確認することが可能なバックライト装置および液晶表示装置に関する。
【背景技術】
【０００２】
従来、液晶表示装置におけるバックライトユニットの組立工程時、レンズシートの誤挿入を防止し、かつユニット組立後にも誤挿入を確認できる技術として特許文献１に記載の「液晶表示装置のバックライトユニット」がある。これは、画角外に互いに重なり合わない耳部を設けたレンズシートとこの耳部を収納する切り欠き部を設けた光学部品支持体とから構成されており、切り欠き部の耳部の形状を特定方向から観察することによって挿入したレンズシートの枚数、順序を目視で確認することができる。
【特許文献１】特開平１１−３５２４７６号公報
【発明の開示】
【発明が解決しようとする課題】
【０００３】
ところで、上述したバックライトユニットでは、大型サイズ、例えば３０又は４０型以上の液晶表示装置を組み立てる場合、このようなレンズシートの誤挿入を防止するための耳部を図のように一箇所のみ設けるだけでは、シートの誤挿入を確認するのも容易ではない場合がある。例えば、大きさ１ｍ×１ｍ以上の薄型表示装置が横たわってライン上を流れている時、シートの挿入を確認する作業者がこの耳部の近くに位置している場合は比較的容易にシートの誤挿入を確認することができるが、この作業者がこの耳部とは相対する辺の近くに位置する場合は、１ｍ以上離れた位置から数センチ程度の耳部の並びを確認することになり、結果的にシート誤挿入の確認作業の信頼性が損なわれかねない。さらには、作業者の視力等の外的要因もあればその信頼性は一層損なわれることになる。
【０００４】
また、上記実施例ではシートが２枚だけであるが、設計手法によっては異なる特性のシートを複数枚、例えば４〜５枚程度を使用する例も近年では少なくない。その場合は、さらに信頼性が損なわれるおそれがあった。そこで、本発明は、液晶表示装置の画面サイズが大型化され、かつ光学シートの使用枚数が増した場合でも、組立工程において、光学シートの配置順列の正誤をどの位置からでも確認することが可能なバックライト装置および液晶表示装置を提案することを目的とした。
【課題を解決するための手段】
【０００５】
上記課題を解決するために、本発明は、複数の光学シートの重ね順、及び又は表裏を識別するシート配列識別手段を有する液晶表示装置において、前記シート配列識別手段は前記光学シートの点対称、または線対称に位置する辺縁部に複数箇所設けられることを特徴とする。
【０００６】
また本発明は、本発明のバックライト装置において、前記光学シートの点対称、または線対称の位置の辺縁部に設けられる前記シート配列識別手段の対は、異なる形状又はサイズで構成されることを特徴とする。
【０００７】
また本発明は、本発明のバックライト装置において、複数の光学シートを重ね合わせた場合に、前記シート配列識別手段は各シートごとに異なる形状又はサイズで構成されることを特徴とする。
【０００８】
また本発明は、本発明のバックライト装置において、複数の光学シートを重ね合わせた場合に、前記シート配列識別手段は上位に位置するシートから下位に位置するシートにかけて、相似する切り欠け形状が漸次縮小されることを特徴とする。
【０００９】
また本発明は、本発明のバックライト装置において、複数の光学シートを重ね合わせた場合に、前記シート配列識別手段は上位に位置するシートから下位に位置するシートにかけて、最下位のシートを除き、相似する切り欠け形状が漸次縮小されることを特徴とする。
【００１０】
また本発明は、本発明のバックライト装置と、液晶パネルを有する液晶表示装置において、前記液晶パネルの画像表示領域の周辺部は液晶パネル保持具で覆われて保持されており、前記シート配列識別手段は液晶パネルの画像表示部の投影領域外に位置するように配置されたことを特徴とする。
【００１１】
また本発明は、本発明の液晶表示装置において、前記液晶パネル保持具に前記シート配列識別手段を確認するための確認手段が設けられたことを特徴とする。
【００１２】
また本発明は、本発明の液晶表示装置において、前記確認手段は、前記液晶パネル保持具の少なくとも一部に透明素材を用いたことを特徴とする。
【００１３】
また本発明は、本発明の液晶表示装置において、前記確認手段は、前記液晶パネル保持具に設けられた穴又は切欠きであることを特徴とする液晶表示装置。
【発明の効果】
【００１４】
以上述べたように本発明によれば、バックライト装置における光学シートの外周部に上位の光学シートの端縁を下位の光学シートの端縁よりも適間隔後退させて構成されるシート配列識別手段を備えたことで、複数の光学シートを組み込むときの重ね順や表裏の誤りを容易に目視確認できるようになるとともに、光学シートの外周部の相対する２辺部または２角部にそれぞれシート配列識別手段を配置すると、バックライト装置が大型になった場合にも、容易に光学シートの順列の正誤を確認することが可能になる。
【００１５】
また、本発明を用いたバックライト装置の組立現場では、以下のような効果が得られる。
（１）光学シート複数枚の配置順列の正誤を作業者はどの位置からでも迅速に確認することができ、ライン上での作業効率を向上させることが出来る。
（２）バックライトユニットがどのような向きで配置されていても、作業者は迅速にシートの配列順序や向きの正誤を確認することができる。
（３）液晶パネルへの画質への影響を与えることなく、生産ライン上でのシート配列を確認することが可能となる。
（４）全てのシートの配置順列に加えて各シートの上下又は裏表の位置の取り付けをも確定させることができる。
（５）それにより、光学シートの皺等の不確定要因がシートの仕様ばらつきにできるだけ依存しないようにすることができる。
【発明を実施するための最良の形態】
【００１６】
以下、本発明の実施の形態を図面に基づいて詳細に説明する。
図１は、本発明に係る液晶表示装置の実施形態の構成を示す主な構成図である。本実施の主な形態として、図１のように液晶表示装置の実施例を示す。主に、表示装置全体を覆う前キャビネット１１および後キャビネット１２、映像データ等を表示するための液晶パネルユニット２、放送信号等のうち音声情報を送出するためのスピーカー３、一面にランプなど複数点の光学部材を保持／収納し、他面に各種回路基板５１〜５４を固定するためのシャーシ４、スタンド６、メモリカードを挿入して映像あるいは音声データを記録するためのカードユニット７から構成される。なお、シャーシ４は、背面に配置された各種回路基板への不要輻射などの対策として金属素材が用いられることが多く、シールドとも呼ばれる。
【００１７】
尚、これらの部材のうち、各種回路基板５１〜５４は、ランプを点灯するためのインバータ回路５１，５２、チューナーや外部端子等を搭載したチューナー等回路基板５３、液晶パネルに所定の駆動方式で処理された映像信号を送出するための液晶駆動回路基板５４等から構成される。その他に電源回路等も製品として必須部品であるが、表示部とは別部品として搭載しても良い。
【００１８】
また、本発明の上記実施形態を背面から見た場合、各部品は以下のような配置でなされる。液晶パネルユニット２や各種光学部材を含めたシャーシ４が中央に配置され、スピーカー３はその左右にそれぞれ配置される。そして、インバータ回路５１，５２はランプに数百〜数千Ｖ程度の高圧交流電圧を流す役割を果たしており、インバータ回路５１，５２はそれぞれ所定の周波数を発振させる機能を有し、これにより発振した交流電圧がインバータトランスで昇圧されて各トランスから蛍光管２２（図２）に印加される。
【００１９】
また、このうち液晶パネルユニット２については、図２に示すように主に以下の構成からなる。まず液晶駆動回路基板５４で処理された映像信号レベルに応じて各画素に対応する階調及び色調表示を出力するための液晶パネル２１、その背面には１本もしくは複数本の蛍光管２２と、この蛍光管２２から出力された光を液晶パネル２１背面に均一に照射するための各種光学シート２３〜２５、拡散板２６及び反射シート２７などで構成され、これらの部材は全てシャーシ４の液晶パネル２１側に保持／収納される構造を有する。特に各種光学シート２３〜２５は、液晶パネル２１と拡散板２６との間に互いに略重ねられた状態で配置される。尚、各種光学シートの代表例としては、例えば反射偏光シート、プリズムシート、ウェーブシート、拡散シート及びＩＴＯシート等から、例えば、画面輝度、視野特性等に応じて自由に選択することができる。無論、同じ光学シートが２枚以上あっても良い。
【００２０】
本発明は、上記各種光学シート２３〜２５の配列関係を確認するために、互いのシートに形成される切欠が異なるようなシート配列識別手段Ａをパネルユニット全体から見て複数箇所に構成させるようにしている。このシート配列識別手段Ａは、図３に示すように、光学シート２３、光学シート２４および光学シート２５に、それぞれ切欠２３ａ、２４ａ、２５ａが設けられており、それぞれの切欠き寸法が少なくとも一定方向に対して異なる寸法で形成されている。その切欠き寸法は、液晶パネル２１に近い位置、すなわち上位に配置されているシートほど切欠き寸法が大きくなるように設定される。
【００２１】
このように切欠き寸法が設定された各シートを順番通り重ねあわせて拡散板２６の上に配置すると、シートの切欠きサイズは上側から少しずつ小さくなりかつズレて並んでいる状態になるので、バックライト装置の組立工程時において組立作業者が液晶パネル２１を光学シートの上に搭載する前にシートの配列順序が正しいか否かを容易に確認することが可能となる。尚、図３では一番下の光学シート２５は敢えて切欠きを設ける必要は無く、その上側の光学シート２３，２４だけに切欠きを設けても配列順序を確認することができる手段を構成することが可能となる。つまり、複数枚の光学シート間においてシートの配列順序を確認することができる手段を構成すれば十分である。
【００２２】
このシート配列識別手段を、例えば図３のＡ，Ｂのように、表示部全体に対して対角あるいは対辺に配置されるようにすることで、組立作業者が大画面サイズのバックライト装置に対してどの位置に立っていても、組立作業者により近い位置のシート配列識別手段を見つけてその場でシートの配列順序の正否を容易に確認することが可能となる。
【００２３】
尚、このシート配列識別手段は、一方のシート配列識別手段Ａに対して他のシート配列識別手段Ｂが対辺又は対角線上に位置していればよく、一方のシート配列識別手段Ａが画面の隅付近に設けた三角形状カットであるのに対し、他方のシート配列識別手段Ｂは一辺方向に切欠きサイズがことなるように設けた略長方形状カットであったとしても良い。また、このように互いのシート配列識別手段Ａ，Ｂの形状が異なることによって、各シートの配置するべき向き（上下、左右、表裏）を確認しながら組立てることも可能になる。
【００２４】
このバックライト装置に液晶パネルを搭載することによって形成される液晶表示装置において、これらの複数のシート配列識別手段を液晶パネル２１の表示領域Ｃ（図２）に対して外れた外側の領域内に設けたことも特徴をなす。具体的には液晶パネル２１の画面表示部分の形状を固定保持するために、例えば金属製あるいはプラスチック製のベゼル２１１を設けているが、このベゼル２１１の領域内にこの複数のシート配列識別手段をもうけることによって、ユーザーがシートの切欠によって発生しうるバックライトからの局所的な輝度むらが視認されることを防止する効果を有する。
【００２５】
尚、このシート配列識別手段は１対で構成させることに限定されず、当該表示装置の画面サイズに対し、必要な箇所だけ設けてよく、その互いの配置関係において対辺又は対角上の状態で形成すればよい。
【００２６】
また、本発明においては前記液晶パネルにおけるベゼル２１１にアクリル素材などの透明な素材を採用しても良い。または、ベゼル２１１に穴や切欠きを設けてシート配列識別手段を液晶パネルが搭載された状態でも確認することが出来ればよい。これらの手段によって、シートの配列状態を、液晶パネルユニットとして組み込まれた状態でも確認することができる。
【００２７】
また、このベゼル２１１の穴の部分は前キャビネット１１で覆われる位置に配置されていても良い。生産工程においてシートの配列状態を確認するためには、液晶パネルユニットとして組み込まれた状態の時に確認することができれば十分であり、その一方で、製品として見たときのその穴による見栄えの悪さを発生させないようにすることができる。
【産業上の利用可能性】
【００２８】
本発明は、バックライト装置および液晶表示装置以外にも、複数の光学シートを重ねて使用する光学機器、装置に利用可能である。
【図面の簡単な説明】
【００２９】
【図１】本発明に係る液晶表示装置の実施形態の構成を示す分解斜視図である。
【図２】本発明に係る液晶表示装置の実施形態の構成を示す断面図である。
【図３】本発明に係るバックライト装置の実施形態の構成を示す分解斜視図である。
【符号の説明】
【００３０】
１１：前キャビネット
１２：後キャビネット
２：液晶パネルユニット
２１：液晶パネル
２２：蛍光管
２３〜２５：光学シート
２６：拡散板
２７：反射シート
３：スピーカー
４：筐体（シールド）
５：各種回路基板
５１，５２：インバータ回路基板
５３：チューナー等回路基板
５４：液晶駆動回路基板
６：スタンド
７：カードユニット、
Ａ：シート配列識別手段
Ｂ：シート配列識別手段
Ｃ：画面表示領域
【図１】
2006071685.tif 000003
【図２】
2006071685.tif 000004
【図３】
2006071685.tif 000005